(57)【特許請求の範囲】
【請求項１】
梁の上面に床スラブ（Ｓｆ）が接続され、その床スラブ（Ｓｆ）の上面には梁による上方への張り出しが無い正梁構造のコンクリート躯体をもつ建築物において、
居住空間（Ｄｗ）の床構造体（Ｆｒ）は、一平面上に間隔をあけて並列され複数本の大引ビーム（５）と、その上に敷設される床板（７）とを備え、
前記複数の大引ビーム（５）は、該ビーム（５）下面と床スラブ（Ｓｆ）との間に上下方向に隙間（Ｄ１）を存して配置されるとともに、各大引ビーム（５）の両端部と鉛直躯体壁（２，２）との間に、該大引ビーム（５）の長手方向に隙間（Ｄ２）を存して配置され、
床構造体（Ｆｒ）の上下幅内に配置されて鉛直躯体壁（２，２）に支持されるビーム受（８）と、防振ゴム（１４）とを介して、各大引ビーム（５）の両端部上面が鉛直躯体壁（２，２）に支持されることを特徴とする、建築物における床支持構造。
【請求項２】
前記ビーム受（８）は、鉛直躯体壁（２，２）に上下方向に位置調節可能に支持されることを特徴とする、前記請求項１記載の建築物における床支持構造。
【発明の詳細な説明】
【０００１】
【発明の属する技術分野】
本発明は、建築物における床支持構造、特に梁の上面に床スラブが接続される正梁構造のコンクリート躯体をもつ建築物の床支持構造に関するものである。
【０００２】
【従来の技術】
一般に、マンションなどの集合住宅では、床構造体が、コンクリート躯体の床スラブや躯体壁と接触状態で固定結合されているため、床上などに加わる振動衝撃音が固体伝播音となって床構造体から上下階、左右隣室へと振動騒音となって伝わり、住空間の環境悪化、品質低下などの原因になるという問題があり、特に最近では、生活様式の変化により、和室が少なくなり、洋室も、緩衝材として機能するカーペット床から、緩衝材とはなりにくいフローリング床へと居住者のニーズに変化が見られ、床構造体から上下階、左右隣室へと伝わる振動騒音が一層大きくなる傾向があり、その遮音対策が大きな課題となっている。
【０００３】
そこで、従来では、遮音対策として、床スラブの厚みを増したり、床構造体自体を遮音構造にしたりするなどの対策がとられている。
【０００４】
【発明が解決しようとする課題】
ところで、かかる遮音対策を講じても床構造体とコンクリート躯体、特にその床スラブとの接触状態を回避することができず、振動騒音の伝播を軽減することができても抜本的な遮音対策とはならないという問題があり、また建築コストの大幅なアップを招くという別の問題もある。
【０００５】
そこで本出願人は、かかる問題を解決すべく、床構造体を、コンクリート躯体に吊杆を以て浮動状に吊下支持して、その躯体と床構造体とを絶縁し、生活騒音を固体伝播音から空気伝播音に変え、遮音性能を大幅に向上させた、建築物における床支持構造を既に提案している（特願２００１−１２０７３５）。
【０００６】
本発明は、先願の建築物における床支持構造に、さらに改良を加え、より簡単な構造により、コンクリート躯体と床構造体との絶縁を確保しつつ、床構造体を躯体に、より安定よく支持することができるようにした、新規な正梁構造のコンクリート躯体をもつ建築物における床支持構造を提供することを主な目的とするものである。
【０００７】
【課題を解決するための手段】
前記目的達成のため、本請求項１記載の発明は、梁の上面に床スラブが接続され、その床スラブの上面には梁による上方への張り出しが無い正梁構造のコンクリート躯体をもつ建築物において、居住空間の床構造体は、一平面上に間隔をあけて並列され複数本の大引ビームと、その上に敷設される床板とを備え、前記複数の大引ビームは、該ビーム下面と床スラブとの間に上下方向に隙間を存して配置されると共に、各大引ビームの両端部と鉛直躯体壁との間に、該大引ビームの長手方向に隙間を存して配置され、床構造体の上下幅内に配置されて鉛直躯体壁に支持されるビーム受と、防振ゴムとを介して、各大引ビームの両端部上面が鉛直躯体壁に支持されることを特徴としており、かかる特徴によれば、床構造体とコンクリート躯体とが絶縁、すなわちそれらの接触が回避され、上下階、左右隣室への振動騒音の伝播を可及的に低減して遮音効果を向上させることができる。特に、梁の上面に床スラブが接続される正梁構造のコンクリート躯体をもつ建築物において、床構造体を構成する複数の大引ビームの両端部上面を、床構造体の上下幅内に配置されて鉛直躯体壁に支持されるビーム受と、防振ゴムとを介して鉛直躯体壁に支持することにより、床構造体に加わる振動騒音は、複数の大引ビームを介して鉛直躯体壁の上下、および横方向に分散伝播させて、遮音効果を高めることができ、その上、床構造体を安定支持することができる。また、前記床支持構造の採用により、床上の有効室内空間を減ずることもない。さらに、床スラブには、床構造体の荷重が作用しないこと、および遮音機能をもたせないですむことから、この床スラブを、従来の床スラブのスラブ厚さよりも可及的に薄くすることが可能になり、これにより居住空間の有効高さを高くとることができ、さらに、コンクリート躯体の重量を低減して、耐震、制震性能を向上させることができ、さらにまた、コンクリートや鋼材の使用量の低減により、建物自体の大幅なコストダウンが達成される。
【０００８】
また、前記目的達成のため、本請求項２記載の発明は、前記請求項１記載のものにおいて、前記ビーム受が、鉛直躯体壁に上下方向に位置調節可能に支持されることを特徴としており、かかる特徴によれば、床構造体の鉛直躯体壁に対する上下方向の位置調節を精度よく容易に行うことができる。
【０００９】
【発明の実施の形態】
以下、本発明の実施形態を、添付図面に示した本発明の実施例に基づいて説明する。
【００１０】
まず、図１〜５を参照して、本発明の第１実施例について説明する。
【００１１】
図１は、本発明床支持構造を備えた集合住宅の一部の縦断面図、図２は、図１の２−２線に沿う一部破断平面図、図３は、図２の３−３線に沿う拡大断面図、図４は、図３の４矢視仮想線囲い部分の拡大図、図５は、図４の５−５線に沿う断面図である。
【００１２】
集合住宅の骨格を構成する、正梁構造のコンクリート躯体Ｆは、水平方向に延びて、建築物を複数の階層に区画する水平躯体部分Ｆｈと、鉛直方向に延びて上下の水平躯体部分Ｆｈを相互に連結する鉛直躯体部分Ｆｖとを備えている。
【００１３】
前記水平躯体部分Ｆｈは、居住空間Ｄｗを上下に仕切る床スラブＳｆ（本発明の特徴により従来のものよりも可及的に薄くすることが可能）を備え、この床スラブＳｆの左右両側には正大梁Ｂｂが下向きに一体に突設されて、所謂「正梁構造」に構成されている。また、前記鉛直躯体部分Ｆｖは、居住空間Ｄｗの四隅に立設される躯体柱１と、並列する躯体柱１間を連結する鉛直躯体壁２，３とを備えている。
【００１４】
各階層の居住空間Ｄｗの床スラブＳｆ上には、床構造体Ｆｒが配設される。
【００１５】
前記床構造体Ｆｒは各階層とも同じ構造を備えているので、以下に、その床構造体Ｆｒの一つについて説明するに、この床構造体Ｆｒはコンクリート躯体Ｆの床スラブＳｆとの直接接触を回避されて、該鉛直躯体壁２，２に支持される。
【００１６】
コンクリート躯体Ｆの床スラブＳｆ上には、その全域にわたり上下方向に若干の隙間Ｄ１を存して複数本の大引ビーム５…が、一平面上で互いに平行に並列され、それらの大引ビーム５…の両端部は、大引ビーム５…と直交して延びる、左右ビーム受８，８により一体に結合され、複数の大引ビーム５…と、左右ビーム受８，８により閉鎖枠状に形成されていて、床構造体Ｆｒが補強されている。
【００１７】
各大引ビーム５は、鋼板を横断面Σ状に屈曲形成して構成され、十分な剛性を確保しながら軽量に形成されている。またビーム受８は、図４に明瞭に示すように、横断面アングル状の等辺山形鋼により形成されていて、水平半部８ｈと、その一端部より下方に垂下する鉛直半部８ｖとより構成され、その水平半部８ｈは、大引ビーム５の端部上面にボルト・ナット１０により防振ゴム１４を介して固定され、またその鉛直半部８ｖは、複数の大引ビーム５…の端面を横切るように下向きに延びていて、相隣り合う大引間５，５の間で、複数のアンカーボルト１２をもって鉛直躯体壁２，２にそれぞれ固定されている。したがって床スラブＳｆ上に上下方向に隙間Ｄ１を存して配設される複数の大引ビーム５…は、それらの両端部がビーム長手方向に隙間Ｄ２を存して防振ゴム１４およびビーム受８を介して鉛直躯体壁２にそれぞれ支持され、これにより、複数の大引ビーム５…は、床スラブＳｆおよび鉛直躯体壁２，２に直接接触することがない。
【００１８】
複数の大引ビーム５…上には、これらと略直交して木製などの角柱材により形成される、複数本の根太６…が相互に平行に敷設され、さらにそれらの根太６…上に、フローリング材などよりなる床板７が敷設される。
【００１９】
以上のように、本発明に従う第１実施例では、居住空間Ｄｗにおいて、床構造体Ｆｒを構成する複数の大引ビーム５…の両端部が、床構造体Ｆｒの上下幅内に配置されて鉛直躯体壁２，２に支持されるビーム受８と、防振ゴム１４とを介してコンクリート躯体Ｆの鉛直躯体壁２，２にそれぞれ支持され、複数の大引ビーム５…は、床スラブＳｆとの接触が回避され、上下階、左右隣室への振動騒音の伝播を可及的に低減することができる。
【００２０】
特に、複数の大引ビーム５…は、その両端部が鉛直躯体壁２，２に支持されることにより、床構造体Ｆｒにかかる荷重に起因する振動騒音は、複数の大引ビーム５…を介してコンクリート躯体Ｆの鉛直躯体壁２，２の上下および横方向に分散させることができる。また、床スラブＳｆには、床構造体Ｆｒの荷重が作用しないこと、および遮音機能をもたせないですむことから、この床スラブＳｆを、従来の床スラブのスラブ厚さ（２０〜２７ｃｍ）よりも可及的に薄く（約１０〜１５ｃｍ）することが可能になり、これにより居住空間Ｄｗの室内高さを高くとることができ、さらに、コンクリート躯体Ｆの重量を低減して、耐震、制震性能を向上させることができ、さらにまた、コンクリートや鋼材の使用量の低減により、建物自体の大幅なコストダウンが達成される。
【００２１】
さらに、床構造体Ｆｒは、その床板７よりも下方で鉛直躯体壁２に支持することができることから、その床構造体Ｆｒよりも上に、該床構造体Ｆｒを支持するための部材が存在せず、しかも鉛直躯体壁２には、仕上げ壁材をじか貼りすることができ、室内空間を広く確保することができる。また、ビーム受８，８は複数の大引ビーム５…の端部上面に固定されていて、該大引ビーム５…の下面よりも下方に突出することがなく、大引ビーム５…と、床スラブＳｆ間の隙間Ｄ１は、必要最少限度に設定することができ、その結果、床下空間の占有高さが高くなることもない。
【００２２】
つぎに、本発明の第２実施例を、図６〜８を参照して説明する。
【００２３】
図６は、本発明床支持構造を備えた集合住宅の一部の縦断面図、図７は、図６の７−７線に沿う一部破断平面図、図８は、図７の８−８線に沿う拡大断面図であり、前記第１実施例と同じものには、同じ符号が付される。
【００２４】
この第２実施例では、居住空間Ｄｗの幅が広く、その中間部に間仕切り壁２０を設けた場合であり、スパンが長く形成される大引ビーム５…の中間部は、間仕切り壁２０内に設けられる吊り構造Ｈａにより吊り下げられ、そのたわみが防止される。
【００２５】
図８に明瞭に示すように、左右の間仕切り壁２０間の空間部２１には、棒鋼よりなる吊り棒２２が上下方向に延長して設けられ、この吊り棒２２の上端は、水平躯体部分Ｆｈ、すなわち床スラブＳｆに固定されるインサート２７に螺合されるアンカーボルト２３を以て揺動可能に吊り下げられ、またその吊り棒２２の下端は、大引ビーム５に固定されて根太６と床板７間を通って間仕切り壁２０内に空間部２１を上方に延びる吊りボルト２４に揺動可能に連結されている。吊り棒２２の中間部には、防振ゴム２６付の、張力調整金物、すなわちターンバックル２５が介在されており、このターンバックル２５の調整により、吊り棒２２の長さ、すなわちその張力が調整される。
【００２６】
しかして、大引ビーム５の中間部は、吊り棒２２により懸吊支持されるので、特に、大引ビーム５のスパンが長い場合に、その撓みを防止することができるが、大引ビーム５にかかる主たる荷重は、前記第１実施例と同じく左右の鉛直躯体壁２，２により受け、大引ビーム５は、床スラブＳｆとの接触が回避され、上下階、左右隣室への振動騒音の伝播を可及的に低減することができる。
【００２７】
つぎに、本発明の第３実施例を、図９，１０を参照して説明する。
【００２８】
図９は、図１０の９−９線に沿う、床構造体の鉛直躯体壁への支持部の断面図、図１０は、図９の１０−１０線に沿う断面図であり、前記第１、第２実施例と同じものには、同じ符号が付される。
【００２９】
この第３実施例では、各大引ビーム５を、鉛直躯体壁２に対して上下方向に位置調節可能に取付けられるようにした場合であり、鉛直躯体壁２には、複数の大引ビーム５…の長手方向と直交する方向に間隔をあけ、かつ相隣り合う大引ビーム５，５の間において、複数の支持部材３０…が上下方向に位置調節可能に固定される。各支持部材３０は、横断面アングル状の等辺山形鋼により構成され、その垂直半部３０ｖの中央部には、上下方向に長い長孔３１が穿設される。鉛直躯体壁２には、前記支持部材３０に対向して複数のインサート３２が一体に埋設されており、ワッシャー３３を介して長孔３１を貫通した取付ボルト３４を前記インサート３２に螺締することにより、複数の支持部材３０…は、鉛直躯体壁２に上下方向に位置調節可能に固定される。複数の支持部材３０…の水平半部３０ｈ…上には、複数の大引ビーム５…と直交する方向に配設されるビーム受８が防振ゴム３５を介して載設されており、このビーム受８の鉛直半部８ｖと鉛直躯体壁２との間には、他の防振ゴム３６が介在されている。
【００３０】
前記ビーム受８には、相隣り合う支持部材３０，３０間において、複数の大引ビーム５…が間隔をあけて懸吊支持されている。すなわち、図９に示すように、ビーム受８の水平半部８ｈには、大引ビーム５の端部が、防振ゴム１４を介してボルト・ナット１０により懸吊支持される。そして、複数の大引ビーム５…の両端部と鉛直躯体壁２との間には隙間Ｄ２が形成され、またそれらの大引ビーム５…の下面と床スラブＳｆとの間には隙間Ｄ１が形成され、、これにより、複数の大引ビーム５…は、鉛直躯体壁２および床スラブＳｆには直接接触することがない。
【００３１】
複数の大引ビーム５…には、それらと略直交して木製の角柱材などにより形成される、複数の根太６…が相互に平行に敷設され、それらの根太６…上に、フローリング板などよりなる床板７が敷設される。
【００３２】
しかして、この第３実施例のものも、床構造体Ｆｒを構成する複数の大引ビーム５…の両端部が、鉛直躯体壁２，２に固定される複数の支持部材３０により防振ゴム３５を介して支持されるビーム受８，８に懸吊支持されることにより、複数の大引ビーム５…は、床スラブＳｆとの接触が回避され、床構造体Ｆｒから、上下階、左右隣室への振動騒音の伝播を可及的に低減することができる。
【００３３】
特に、この第３実施例では、複数の支持部材３０…により、大引ビーム５…の上下方向の位置調節、すなわち床構造体Ｆｒの、鉛直躯体壁２に対する位置調整を精度よく、簡単容易に行うことができる。
【００３４】
以上、本発明の第１，２実施例について説明したが、本発明はそれらの実施例に限定されることなく、本発明の範囲内で種々の実施例が可能である。
【００３５】
たとえば、前記実施例では、本発明にかかる建築物における床支持構造を、集合住宅に実施した場合を説明したが、これを他のコンクリート建築物にも実施できる。また、床構造体の床板として、フローリング板の外、畳床、その他の公知のものの使用が可能である。
【００３６】
【発明の効果】
以上のように、本請求項１記載の発明によれば、床構造体と床スラブとが絶縁、すなわちそれらの接触が回避され、床構造体に生じる振動騒音の、上下階、左右隣室への伝播を可及的に低減して遮音効果を向上させることができる。特に梁の上面に床スラブが接続され、その床スラブの上面には梁による上方への張り出しが無い正梁構造のコンクリート躯体をもつ建築物において、床構造体を構成する複数の大引ビームの両端部上面を、床構造体の上下幅内に配置されて鉛直躯体壁に支持されるビーム受と、防振ゴムとを介して鉛直躯体壁に支持することにより、床構造体に加わる振動騒音は、複数の大引ビームを介して鉛直躯体壁の上下、および横方向に分散伝播させて、遮音効果を高めることができ、その上、床構造体を安定支持することができる。また、前記床支持構造の採用により、居住空間の有効室内空間を減ずることもない。さらに、床スラブには、床構造体の荷重が作用しないこと、および遮音機能をもたせないですむことから、この床スラブを、従来の床スラブのスラブ厚さよりも可及的に薄くすることが可能になり、これにより居住空間の有効高さを高くとることができ、さらに、コンクリート躯体の重量を低減して、耐震、制震性能を向上させることができ、さらにまた、コンクリートや鋼材の使用量の低減により、建物自体の大幅なコストダウンが達成される。
【００３７】
また、本請求項２記載の発明によれば、前記請求項１記載の発明の前記効果に加えて、ビーム受、従って床構造体の鉛直躯体壁に対する上下方向の位置調節を精度よく容易に行うことができる。
【図面の簡単な説明】
【図１】  本発明床支持構造を備えた集合住宅の一部の縦断面図（第１実施例）
【図２】  図１の２−２線に沿う一部破断平面図
【図３】  図２の３−３線に沿う拡大断面図
【図４】  図３の４矢視仮想線囲い部分の拡大図
【図５】  図４の５−５線に沿う断面図
【図６】  本発明床支持構造を備えた集合住宅の一部の縦断面図（第２実施例）
【図７】  図６の７−７線に沿う一部破断平面図
【図８】  図７の８−８線に沿う拡大断面図
【図９】  図１０の９−９線に沿う、床構造体の鉛直躯体壁への支持部の断面図（第３実施例）
【図１０】  図９の１０−１０線に沿う断面図
【符号の説明】
２          鉛直躯体壁
５          大引ビーム
７          床板
８          ビーム受
１４        防振ゴム
Ｆｈ        水平躯体部分
Ｓｆ        床スラブ
Ｄ１        隙間
Ｄ２        隙間
【図１】
0003966717.tif 000002
【図２】
0003966717.tif 000003
【図３】
0003966717.tif 000004
【図４】
0003966717.tif 000005
【図５】
0003966717.tif 000006
【図６】
0003966717.tif 000007
【図７】
0003966717.tif 000008
【図８】
0003966717.tif 000009
【図９】
0003966717.tif 000010
【図１０】
0003966717.tif 000011